(57)【特許請求の範囲】
【請求項１】
建築物の開口部に配設する枠体を、建築物側の取付部に対してビスによって取り付けるようにした建築物の開口部の枠体の取付構造において、
前記枠体を、
前記建築物側の取付部に対向する外周側に開口する空洞部を備え、該空洞部の内周側を、反開口側向きの傾斜面からなる後面及びビス挿通孔を備えたビス挿通部を一体かつ可動に形成することで閉鎖するようにした、枠体本体と、
前記空洞部に装着され、ビス挿通部の後面に当接する開口側向きの傾斜面からなる前面と、ビス挿通部に対して反開口側向きの力を付与することでビス挿通部の位置を制御する位置制御片とを備えた、建築物側の取付部に後面が当接される取付部当接部材と
で構成してなることを特徴とする建築物の開口部の枠体の取付構造。
【請求項２】
前記ビス挿通部を、該ビス挿通部の側部を支持部を介して枠体本体に接続することによって、上下方向及び前後方向に可動にしてなることを特徴とする請求項１に記載の建築物の開口部の枠体の取付構造。
【請求項３】
前記空洞部に装着された取付部当接部材が、空洞部内から抜け出ることを防止する抜止手段を設けてなることを特徴とする請求項１又は２に記載の建築物の開口部の枠体の取付構造。
【請求項４】
前記枠体本体の底面部に、空洞部と連通する前後方向に延びるスリット状の開口を設けてなることを特徴とする請求項１、２又は３に記載の建築物の開口部の枠体の取付構造。
【請求項５】
請求項１、２、３又は４に記載の建築物の開口部の枠体の取付構造の施工方法であって、前記枠体本体の空洞部に取付部当接部材を予め装着した枠体を施工現場に搬入し、該枠体を建築物の開口部に配設し、建築物側の取付部に対してビスによって取り付けるようにすることを特徴とする建築物の開口部の枠体の取付構造の施工方法。
【発明の詳細な説明】
【技術分野】
【０００１】
本発明は、建築物の開口部の枠体の取付構造及びその施工方法に関し、特に、床下収納庫、点検口、床ガラリ、天井点検口、壁点検口等のために形成された建築物の開口部の枠体の取付構造及びその施工方法に関するものである。
【背景技術】
【０００２】
従来、床下収納庫、点検口、床ガラリ等のために形成された床の開口部には、当該開口部を開閉可能に塞ぐ蓋体やガラリを、安定して支持、設置することができるように、枠体を取り付けるようにしている。
【０００３】
ところで、蓋体が設置された状態で室内と室外との通気があると冷暖房効率が低下することになるため、枠体には、床との間で高い気密性や荷重に耐え得る十分な強度が要求されるほか、床の表面との段差を小さくして躓きを防止するとともに、施工時の作業性、取扱性を向上させる必要がある。
【０００４】
これらの要請に応えるため、枠体は、床や床を支持する根太に取り付けるようにされている（例えば、特許文献１及び２参照。）。
【先行技術文献】
【特許文献】
【０００５】
【特許文献１】特開２００３−２１３９２３号公報
【特許文献２】特開２００８−２０８５６１号公報
【発明の概要】
【発明が解決しようとする課題】
【０００６】
ところで、床の開口部の枠体を、床や床を支持する根太に取り付けるようにした、従来の床の開口部の枠体の取付構造の場合、施工不良が見つかったときや床材の敷設作業に伴う枠体を一旦固定した後の枠体の取付位置の調整が行いにくかったり、施工現場で個別の部品を取り付ける必要があったりするため、施工に手数を要するという問題があった。
【０００７】
本発明は、上記従来の床の開口部の枠体の取付構造の有する問題点に鑑み、枠体を一旦固定した後でも枠体の取付位置の調整を簡易に行うことができるようにするとともに、施工現場で個別の部品を取り付ける必要がなく、枠体を高い寸法精度で設置可能であり、建築物との間で高い気密性や荷重に耐え得る十分な強度を得ることができるとともに、建築物の表面との段差を小さくして、例えば、躓きを防止するとともに、施工時の作業性、取扱性を向上することができる建築物の開口部の枠体の取付構造及びその施工方法を提供することを目的とする。
【課題を解決するための手段】
【０００８】
上記目的を達成するため、本発明の建築物の開口部の枠体の取付構造は、建築物の開口部に配設する枠体を、建築物側の取付部に対してビスによって取り付けるようにした建築物の開口部の枠体の取付構造において、前記枠体を、前記建築物側の取付部に対向する外周側に開口する空洞部を備え、該空洞部の内周側を、反開口側向きの傾斜面からなる後面及びビス挿通孔を備えたビス挿通部を一体かつ可動に形成することで閉鎖するようにした、枠体本体と、前記空洞部に装着され、ビス挿通部の後面に当接する開口側向きの傾斜面からなる前面を備えた、建築物側の取付部に後面が当接される取付部当接部材とで構成してなることを特徴とする。
【０００９】
この場合において、前記ビス挿通部を、該ビス挿通部の側部を支持部を介して枠体本体に接続することによって、上下方向及び前後方向に可動にしてなるようにすることができる。
また、前記取付部当接部材が、ビス挿通部の位置を制御する位置制御片を備えてなるようにすることができる。
また、前記空洞部に装着された取付部当接部材が、空洞部内から抜け出ることを防止する抜止手段を設けてなるようにすることができる。
また、前記枠体本体の底面部に、空洞部と連通する前後方向に延びるスリット形状の開口を設けてなるようにすることができる。
【００１０】
また、同じ目的を達成するため、本発明の建築物の開口部の枠体の取付構造の施工方法は、前記枠体本体の空洞部に取付部当接部材を予め装着した枠体を施工現場に搬入し、該枠体を建築物の開口部に配設し、建築物側の取付部に対してビスによって取り付けるようにすることを特徴とする。
【発明の効果】
【００１１】
本発明の建築物の開口部の枠体の取付構造及びその施工方法によれば、建築物の開口部に配設する枠体を、建築物側の取付部に対してビスによって取り付けるようにした建築物の開口部の枠体の取付構造において、前記枠体を、前記建築物側の取付部に対向する外周側に開口する空洞部を備え、該空洞部の内周側を、反開口側向きの傾斜面からなる後面及びビス挿通孔を備えたビス挿通部を一体かつ可動に形成することで閉鎖するようにした、枠体本体と、前記空洞部に装着され、ビス挿通部の後面に当接する開口側向きの傾斜面からなる前面を備えた、建築物側の取付部に後面が当接される取付部当接部材とで構成してなることから、枠体を一旦固定した後でも枠体の取付位置の調整を簡易に行うことができるとともに、施工現場で個別の部品を取り付ける必要がなく、これによって、枠体を高い寸法精度で設置可能であり、建築物との間で高い気密性や荷重に耐え得る十分な強度を得ることができるとともに、建築物の表面との段差を小さくして、例えば、躓きを防止するとともに、施工時の作業性、取扱性を向上することができる。
【図面の簡単な説明】
【００１２】
【図１】本発明の建築物の開口部の枠体の取付構造を床の開口部に適用した一実施例を示す枠体本体の平面図である。
【図２】同枠体本体の底面図である。
【図３】同枠体本体の正面図である。
【図４】同枠体本体の図１のＡ−Ａ断面図（図２のＢ−Ｂ断面図）である。
【図５】同枠体本体の外周側から見た要部の拡大図である。
【図６】同枠体本体の図５のＣ−Ｃ断面図である。
【図７】同枠体本体の図５のＤ−Ｄ断面図である。
【図８】同枠体本体の底面側から見た要部の拡大図である。
【図９】同枠体本体の内周側から見た要部の拡大図である。
【図１０】同枠体本体を示し、（ａ）は外周側から見た要部の拡大斜視図、（ｂ）は内周側から見た要部の拡大斜視図である。
【図１１】同取付部当接部材の正面図である。
【図１２】同取付部当接部材を示し、（ａ）は平面図、（ｂ）は背面図、（ｃ）は底面図である。
【図１３】同取付部当接部材を示し、（ａ）は左側面図、（ｂ）は図１２（ｂ）のＥ−Ｅ断面図である。
【図１４】同取付部当接部材を示し、（ａ）は正面側から見た要部の拡大斜視図、（ｂ）は背面側から見た要部の拡大斜視図である。
【図１５−１】同枠体を床側の取付部に対してビスによって取り付ける場合の動作説明図である。
【図１５−２】同枠体を床側の取付部に対してビスによって取り付ける場合の動作説明図である。
【図１５−３】同枠体を床側の取付部に対してビスによって取り付ける場合の動作説明図である。
【図１６】本発明の建築物の開口部の枠体の取付構造を床の開口部に適用した変形実施例を示す枠体本体の底面図である。
【図１７】同枠体本体の正面図である。
【図１８】同枠体本体の図１６のＦ−Ｆ断面図である。
【図１９】同枠体本体の外周側から見た要部の拡大図である。
【図２０】同枠体本体の図１９のＧ−Ｇ断面図である。
【図２１】同枠体本体の底面側から見た要部の拡大図である。
【図２２】同枠体本体の内周側から見た要部の拡大図である。
【図２３】同枠体本体を示し、（ａ）は外周側から見た要部の拡大斜視図、（ｂ）は内周側から見た要部の拡大斜視図である。
【発明を実施するための形態】
【００１３】
以下、本発明の建築物の開口部の枠体の取付構造及びその施工方法の実施の形態を、図面に基づいて説明する。
【００１４】
図１〜図１５−３に、本発明の建築物の開口部の枠体の取付構造及びその施工方法を床の開口部に適用した一実施例を示す。
この床の開口部の枠体の取付構造は、床Ｆの開口部に配設する枠体１を、床Ｆ側の取付部Ｊ、本実施例においては、根太に対してビスＳによって取り付けるようにしたもので、枠体１を、床Ｆ側の取付部Ｊに対向する外周側に開口する空洞部２１を備え、空洞部２１の内周側を、反開口側向き（下向き）の傾斜面からなる後面２２ａ及びビス挿通孔２２ｂを備えたビス挿通部２２を一体かつ可動に形成することで閉鎖するようにした、枠体本体２と、空洞部２１に装着され、ビス挿通部２２の後面２２ａに当接する開口側向き（上向き）の傾斜面からなる前面３１を備えた、床Ｆ側の取付部Ｊに後面３２が当接される取付部当接部材３とで構成してなるようにしている。
ここで、枠体本体２の左右方向をＸ軸として、Ｙ軸を上下方向、Ｚ軸を前後方向（枠体本体２の内周側を前方向、外周側を後方向）という。
【００１５】
この場合において、空洞部２１の内周側を閉鎖するビス挿通部２２は、ビス挿通部２２の側部を支持部２３を介して枠体本体２に接続すること、具体的には、ビス挿通部２２の側部に接続した支持部２３を、それぞれ上下方向に湾曲させ、さらに、左右方向に延設することで枠体本体２に接続することによって、上下方向及び前後方向に可動になる（左右方向にはほとんど移動しない）ようにしている。
【００１６】
空洞部２１には、空洞部２１内に装着した取付部当接部材３を案内する案内片２４及び案内溝２５を、取付部当接部材３には、案内片２４及び案内溝２５に対応する位置に、被案内溝３３及び被案内片３４を、それぞれ形成し、取付部当接部材３が、空洞部２１内で前後方向に可動になる（左右方向及び上下方向にはほとんど移動しない）ようにするとともに、案内溝２５によって被案内片３４の移動範囲を規制することで、一旦装着した取付部当接部材３が、空洞部２１内から抜け出ないようにしている。
これにより、作業現場で個別を取り付ける必要がなく、また、部品が抜け出ることもないことから、施工時の作業性、取扱性を向上することができる。
なお、本実施例においては、案内溝２５及び被案内片３４は、空洞部２１に装着された取付部当接部材３が、空洞部２１内から抜け出ることを防止する抜止手段を構成するよう
にしているが、同様の機能を有するものであれば、抜止手段の構成は、これに限定されず、例えば、案内溝と被案内片の位置関係を逆に設定することもできる。
【００１７】
取付部当接部材３の開口側向き（上向き）の傾斜面からなる前面３１の中央部には、孔３５を形成し、床Ｆ側の取付部ＪにビスＳをねじ込む際にビスＳが干渉しないようにし、前面３１の背面側は、床Ｆ側の取付部Ｊに当接する後面３２より後退した凹部３６に形成し、床Ｆ側の取付部ＪにビスＳをねじ込んだ際に生じる取付部Ｊの膨らみを吸収するようにしている。
【００１８】
取付部当接部材３の開口側向き（上向き）の傾斜面からなる前面３１の周囲には、ビス挿通部２２の位置を制御する位置制御片３７を形成するようにしている。
この位置制御片３７は、上部を上方が閉じる方向に形成されたばね片で構成し、上方向に移動したビス挿通部２２が、位置制御片３７のばね片に当接し、ビス挿通部２２に対して、反開口側向き（下向き）の力が付与されるようにするものである。
【００１９】
次に、この床の開口部の枠体の取付構造を適用した枠体を床側の取付部に対してビスによって取り付ける場合の動作について、図１５−１〜図１５−３を用いて説明する。
床Ｆの開口部に、枠体本体２の空洞部２１に取付部当接部材３を装着した枠体１を配置し、ビス挿通部２２のビス挿通孔２２ｂを通して、床Ｆ側の取付部ＪにビスＳを水平方向にねじ込むようにする。
そして、ビスＳのねじ込みが進み、ビスＳの頭部がビス挿通部２２に当接し、ビス挿通部２２にビスＳの軸方向の力が付与されると、上下方向及び前後方向に可動にされているビス挿通部２２が後方向に移動しながら、ビス挿通部２２の反開口側向き（下向き）の傾斜面からなる後面２２ａに当接する開口側向き（上向き）の傾斜面からなる前面３１を備えた取付部当接部材３に反開口側向き（下向き）の力が作用し、取付部当接部材３と共に、枠体本体２が下方向に移動することで、枠体本体２のフランジ部２６を、床Ｆの表面に密着させ、枠体１を高い寸法精度で設置可能であり、床Ｆとの間で高い気密性や荷重に耐え得る十分な強度を得ることができるとともに、床Ｆの表面との段差を小さくして躓きを防止するようにすることができる。
【００２０】
この場合、図１５−１に示すように、床Ｆの開口部が狭い場合、図１５−２に示すように、標準的な床Ｆの開口部の場合、図１５−３に示すように、床Ｆの開口部が広い場合のいずれの場合でも、取付部当接部材３の後面３２が、床Ｆ側の取付部Ｊに当接されるまでビスＳをねじ込むようにすることで、枠体１を床Ｆの開口部に正確かつ確実に取り付けることができる。
【００２１】
そして、この床の開口部の枠体の取付構造によれば、枠体１を一旦固定した後でも、ビスＳを弛めることによって、取付部当接部材３に形成したビス挿通部２２の位置を制御する位置制御片３７による作用、すなわち、ビス挿通部２２に対して反開口側向き（下向き）の力が付与されることによって、当初の状態に自動的に復帰させることができ、枠体１の取付位置の調整を簡易に行うことができるとともに、枠体１の出荷段階で枠体本体２の空洞部２１に取付部当接部材３を装着しておくことで、施工現場で個別の部品を取り付ける必要がなく、施工時の作業性、取扱性を向上することができる。
【００２２】
ところで、図１６〜図２３に示す、本発明の建築物の開口部の枠体の取付構造の変形実施例のように、枠体本体２の底面部２７に、空洞部と連通する前後方向に延びるスリット状の開口２８を設けるようにしている。
これにより、枠体１を一旦固定した後でも、ビスＳを弛めることによって、取付部当接部材３の位置の調整を開口２８を通して容易に行うことができ、枠体１の取付位置の調整を簡易に行うことができる。
なお、この変形実施例のその他の構成及び作用は、図１〜図１５−３に記載した実施例と同様である。
【００２３】
以上、本発明の建築物の開口部の枠体の取付構造及びその施工方法について、その実施例に基づいて説明したが、本発明は上記実施例に記載した構成に限定されるものではなく、その趣旨を逸脱しない範囲において適宜その構成を変更することができるものである。
【産業上の利用可能性】
【００２４】
本発明の建築物の開口部の枠体の取付構造及びその施工方法は、枠体を一旦固定した後でも枠体の取付位置の調整を簡易に行うことができるようにするとともに、施工現場で個別の部品を取り付ける必要がなく、枠体を高い寸法精度で設置可能であり、建築物との間で高い気密性や荷重に耐え得る十分な強度を得ることができるとともに、建築物の表面との段差を小さくして、例えば、躓きを防止するとともに、施工時の作業性、取扱性を向上することができることから、床下収納庫、点検口、床ガラリのために形成された床の開口部の枠体の取付の用途に好適に用いることができるほか、天井点検口のために形成された天井の開口部や壁点検口のために形成された壁の開口部の枠体の取付の用途にも用いることができる。
【符号の説明】
【００２５】
１  枠体
２  枠体本体
２１  空洞部
２２  ビス挿通部
２２ａ  後面
２２ｂ  ビス挿通孔
２３  支持部
２４  案内片
２５  案内溝
２６  フランジ部
２７  底面部
２８  開口
３  取付部当接部材
３１  前面
３２  後面
３３  被案内溝
３４  被案内片
３５  孔
３６  凹部
３７  位置制御片
Ｆ  建築物（床）
Ｊ  取付部（根太）
Ｓ  ビス
【要約】
【課題】枠体を一旦固定した後でも枠体の取付位置の調整を簡易に行うことができるようにするとともに、施工現場で個別の部品を取り付ける必要がなく、施工時の作業性、取扱性を向上することができる建築物の開口部の枠体の取付構造を提供すること。
【解決手段】枠体１を、建築物Ｆ側の取付部Ｊに対向する外周側に開口する空洞部２１を備え、空洞部２１の内周側を、反開口側向きの傾斜面からなる後面２２ａ及びビス挿通孔２２ｂを備えたビス挿通部２２を一体かつ可動に形成することで閉鎖するようにした、枠体本体２と、空洞部２１に装着され、ビス挿通部２２の後面２２ａに当接する開口側向きの傾斜面からなる前面３１を備えた、建築物Ｆ側の取付部Ｊに後面３２が当接される取付部当接部材３とで構成する。
【選択図】図１５−２【図１】
0006910093.tif 000002
【図２】
0006910093.tif 000003
【図３】
0006910093.tif 000004
【図４】
0006910093.tif 000005
【図５】
0006910093.tif 000006
【図６】
0006910093.tif 000007
【図７】
0006910093.tif 000008
【図８】
0006910093.tif 000009
【図９】
0006910093.tif 000010
【図１０】
0006910093.tif 000011
【図１１】
0006910093.tif 000012
【図１２】
0006910093.tif 000013
【図１３】
0006910093.tif 000014
【図１４】
0006910093.tif 000015
【図１５−１】
0006910093.tif 000016
【図１５−２】
0006910093.tif 000017
【図１５−３】
0006910093.tif 000018
【図１６】
0006910093.tif 000019
【図１７】
0006910093.tif 000020
【図１８】
0006910093.tif 000021
【図１９】
0006910093.tif 000022
【図２０】
0006910093.tif 000023
【図２１】
0006910093.tif 000024
【図２２】
0006910093.tif 000025
【図２３】
0006910093.tif 000026